(57)【要約】【課題】負荷の施工性を改善でき、既存の負荷についてシステムに対応可能とすることができる壁スイッチ装置を提供する。【解決手段】壁スイッチ装置11は、スイッチ16、通信ユニット17および制御ユニット18を備える。スイッチ16は、電源制御を行う。通信ユニット17は、外部と通信する。制御ユニット18は、通信ユニット17によって通信し、スイッチの制御を行う。【選択図】図１
2016066904.tif 000002
【特許請求の範囲】
【請求項１】
電源制御を行うスイッチと；
外部と通信する通信ユニットと；
前記通信ユニットによって通信し、前記スイッチの制御を行う制御ユニットと；
を具備することを特徴とする壁スイッチ装置。
【請求項２】
調光信号を出力する調光信号出力部を具備し、
前記制御ユニットは、前記調光信号出力部から出力する調光信号を制御する
ことを特徴とする請求項１記載の壁スイッチ装置。
【請求項３】
請求項１または２記載の壁スイッチ装置と；
前記壁スイッチの前記電源出力部に接続された負荷と；
を具備することを特徴とする負荷制御システム。
【発明の詳細な説明】
【技術分野】
【０００１】
本発明の実施形態は、負荷を制御する壁スイッチ装置、およびこの壁スイッチ装置を用いた負荷制御システムに関する。
【背景技術】
【０００２】
従来、家庭内の負荷としての電気機器をネットワークで接続し、電気機器の動作状況を管理し、外部から電気機器の制御や動作状況の確認を可能とするホームエネルギーマネジメントシステム（ＨＥＭＳ：Home Energy Management System）が知られている。
【０００３】
例えば、照明器具についても、ホームエネルギーマネジメントシステムに対応させることにより、使用者が照明器具の設置場所にいなくても、照明器具の制御や動作状況の確認が可能となる。
【０００４】
照明器具をホームエネルギーマネジメントシステムに対応させるには、照明器具に、ホームエネルギーマネジメントシステムのネットワークに接続するための通信ユニット、および通信ユニットを通じてホームエネルギーマネジメントシステムと通信するとともに照明器具を制御する制御ユニットを搭載する必要がある。
【０００５】
そのため、照明器具の施工時には、壁スイッチから延設されている電源線を照明器具に接続することに加えて、一般に壁に配線されている通信線を照明器具の設置場所である天井に配線したうえで通信ユニットに接続する必要があり、施工性が煩雑になるとともに、器具が大形化になりさらに施工性の悪化、衣装の悪化を招く。
【０００６】
また、既存の照明器具はホームエネルギーマネジメントシステムで制御することはできないため、ホームエネルギーマネジメントシステム対応の照明器具が必要となる。
【先行技術文献】
【特許文献】
【０００７】
【特許文献１】特開２０１４−１６７８８９号公報
【発明の概要】
【発明が解決しようとする課題】
【０００８】
本発明が解決しようとする課題は、負荷の施工性を改善でき、既存の負荷についてもシステムで制御することができる壁スイッチ装置、およびこの壁スイッチ装置を用いた負荷制御システムを提供することである。
【課題を解決するための手段】
【０００９】
実施形態の壁スイッチ装置は、スイッチ、通信ユニットおよび制御ユニットを備える。スイッチは、電源制御を行う。通信ユニットは、外部と通信する。制御ユニットは、通信ユニットによって通信し、スイッチの制御を行う。
【発明の効果】
【００１０】
本発明によれば、負荷の施工性を改善でき、既存の負荷についてもシステムで制御することが期待できる。
【図面の簡単な説明】
【００１１】
【図１】第１の実施形態を示す壁スイッチ装置および負荷制御システムの回路図である。
【図２】同上負荷制御システムの概念図である。
【図３】第２の実施形態を示す壁スイッチ装置および負荷制御システムの回路図である。
【発明を実施するための形態】
【００１２】
以下、第１の実施形態を、図１および図２を参照して説明する。
【００１３】
図２に示すように、負荷制御システム10は、壁スイッチ装置11、および負荷12を備えている。壁スイッチ装置11は例えば部屋の壁13aに設置され、負荷12は例えば照明器具12aであって天井13bに設置されている。
【００１４】
そして、図１に示すように、壁スイッチ装置11は、ホームエネルギーマネジメントシステム（ＨＥＭＳ：Home Energy Management System）に対応している。壁スイッチ装置11は、電源回路15、スイッチ16、通信アダプタとしての通信ユニット17、およびＨＥＭＳアダプタとしての制御ユニット18を備えている。
【００１５】
商用交流電源Ｅからの電源線21に接続されて電力を入力する一対の電源入力部22、および電力を負荷12に出力する一対の電源出力部23を有している。
【００１６】
スイッチ16は、電源回路15に設けられ、電源回路15を開閉する。スイッチ16は、壁スイッチ装置11の外部に配置される操作部を有し、操作部の操作によって電源回路15を開閉する。
【００１７】
通信ユニット17は、通信線24が接続され、宅内のネットワークに接続される。さらに、通信ユニット17は、宅内のネットワークからモデムおよびインターネット回線を通じて外部の管理サーバと通信する。
【００１８】
制御ユニット18は、電源回路15に設けられ、電源回路15を開閉制御する。制御ユニット18は、通信ユニット17によって管理サーバと通信し、管理サーバからの信号を入力して電源回路15を開閉制御するとともに、動作状況を管理サーバに出力する。
【００１９】
そして、携帯形端末やパソコンなどにより管理サーバにアクセスすることにより、制御ユニット18により負荷12のオンオフ操作や負荷12の動作状況の確認が可能となっている。
【００２０】
また、負荷12は、宅内に設置される電気機器である。電気機器としては、例えば照明器具12aであるが、他の電気機器でもよい。負荷12は、壁スイッチ装置11の一対の電源出力部23に接続された給電線25に接続され、電力の供給を受けて動作する。例えば天井に設置された照明器具12aが複数である場合のように、複数の負荷12がある場合には、複数の負荷12が同じ給電線25に並列または送り配線を用いて接続される。
【００２１】
そして、このように構成された負荷制御システム10では、壁スイッチ装置11のスイッチ16をオン操作することにより、電源回路15が閉成され、商用交流電源Ｅからの電力が負荷12に供給され、負荷12が動作する。負荷12が照明器具であれば点灯する。
【００２２】
壁スイッチ装置11のスイッチ16をオフ操作することにより、電源回路15が開成され、負荷12への電力の供給が遮断され、負荷12が動作を停止する。負荷12が照明器具であれば消灯する。
【００２３】
壁スイッチ装置11のスイッチ16がオン状態にある場合、制御ユニット18によって負荷12を制御できる。この場合、携帯端末やパソコンなどにより管理サーバにアクセスして操作することにより、管理サーバから信号が送信され、この信号を通信ユニット17が受信して制御ユニット18が取得する。
【００２４】
制御ユニット18は、取得した信号に基づいて、電源回路15を閉成して負荷12をオン制御し、または電源回路15が開成して負荷12をオフ制御する。したがって、制御ユニット18による電源回路15の閉成または開成により、負荷12をオン制御またはオフ制御する。
【００２５】
本実施形態の壁スイッチ装置11によれば、壁スイッチ装置11が通信ユニット17および制御ユニット18を備えることにより、負荷12をシステム（ＨＥＭＳ）で制御することができ、しかも、通信線24等の配線が主として壁で完了するため、負荷12に対する配線は給電線25のみでよく、これは一般的な負荷12の配線方法と同様であり、負荷12の施工性を改善できる。
【００２６】
また、壁スイッチ装置11がシステム（ＨＥＭＳ）に対応しているため、既存の負荷12についてもシステム（ＨＥＭＳ）で制御することができる。
【００２７】
次に、図３に第２の実施形態を示す。なお、第１の実施形態と同じ構成については同じ符号を用い、その構成および作用効果についての説明を省略する。
【００２８】
壁スイッチ装置11は、調光ユニット27、および負荷12に調光信号を出力する調光信号出力部28を有している。調光ユニット27は、操作つまみによる操作によって調光信号を発生する。
【００２９】
制御ユニット18は、調光ユニット27からの調光信号または通信ユニット17によって受信する管理サーバからの調光信号に応じて、調光信号出力部28から出力する調光信号を制御する。
【００３０】
負荷12は、調光信号出力部28に接続された信号線29に接続され、調光信号を入力し、調光信号に応じた明るさとなるように調光する。
【００３１】
本実施形態の壁スイッチ装置11によれば、壁スイッチ装置11が通信ユニット17および制御ユニット18を備えることにより、負荷12をシステム（ＨＥＭＳ）で制御することができ、しかも、通信線24等の配線が主として壁で完了するため、負荷12に対する配線は給電線25と信号線29のみでよく、これは一般的な調光対応の負荷12の配線方法と同様であり、負荷12の施工性を改善できる。
【００３２】
また、壁スイッチ装置11がシステム（ＨＥＭＳ）に対応しているため、既存の調光対応の負荷12についてもシステム（ＨＥＭＳ）で制御することができる。
【００３３】
なお、前記実施形態では通信ユニット17が有線通信を行う例を示したが、例えばWi-Fi（登録商標）やBluetooth（登録商標）等の無線通信を行っても構わない。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
10    負荷制御システム
11    壁スイッチ装置
16    スイッチ
17    通信ユニット
18    制御ユニット
28    調光信号出力部
【図１】
2016066904.tif 000003
【図２】
2016066904.tif 000004
【図３】
2016066904.tif 000005